(57)【特許請求の範囲】
【請求項１】
管理装置と、複数の端末装置と、記憶装置と、を備えた遊技場会員管理装置において、
前記記憶装置には、会員である顧客が所持している携帯端末装置を特定する携帯端末識別情報を含む会員登録情報が記憶されており、
前記端末装置のそれぞれには通信相手識別情報が割り付けられており、
前記端末装置は、無線通信を介して前記携帯端末装置と通信可能であり、前記携帯端末装置から通信相手識別情報と携帯端末識別情報を受信すると、受信した通信相手識別情報と自己に割り付けられている通信相手識別情報が一致する場合に応答し、
応答した前記端末装置は、受信した携帯端末識別情報を前記管理装置に送信し、
前記管理装置は、前記端末装置から携帯端末識別情報を受信すると、受信した携帯端末識別情報と前記記憶装置に記憶されている会員登録情報が含む携帯端末識別情報とを照合し、照合が一致した場合、前記端末装置に通信相手識別情報と携帯端末識別情報を送信した携帯端末装置を所持している顧客が会員であることを判別する、
ことを特徴とする遊技場会員管理装置。
【請求項２】
複数の管理装置と、記憶装置と、を備えた遊技場会員管理装置において、
前記記憶装置には、会員である顧客が所持している携帯端末装置を特定する携帯端末識別情報を含む会員登録情報が記憶されており、
前記管理装置のそれぞれには通信相手識別情報が割り付けられており、
前記管理装置は、無線通信を介して前記携帯端末装置と通信可能であり、前記携帯端末装置から通信相手識別情報と携帯端末識別情報を受信すると、受信した通信相手識別情報と自己に割り付けられている通信相手識別情報が一致する場合に応答し、
応答した前記管理装置は、受信した携帯端末識別情報と前記記憶装置に記憶されている会員登録情報が含む携帯端末識別情報とを照合し、照合が一致した場合、通信相手識別情報と携帯端末識別情報を送信した携帯端末装置を所持している顧客が会員であることを判別する、
ことを特徴とする遊技場会員管理装置。
【発明の詳細な説明】
【０００１】
【発明の属する技術分野】
本発明は、遊技場会員管理装置に関する。
【０００２】
【従来の技術】
近年、遊技場（パチンコ店等）では、会員システムが採用されている。この会員システムは、例えば、会員となった顧客の行動（例えば、遊技に使用した金額、来店回数等）に対してポイントを付与し、累積ポイントが所定値に達すると顧客に特典（例えば、景品サービス等）を与えるものである。このような会員システムを採用することにより、固定客及び新しい顧客の来店回数や利用回数等が増加し、集客効果が期待できる。
ここで、従来の会員システムでは、会員となった顧客に会員カードを発行している。会員は、自己の会員カードを遊技場内機器の会員カード受け入れ口等に挿入する。遊技場内機器は、会員カード受け入れ口等に挿入された会員カードの情報を読み取り、読み取った情報が予め登録されている情報である場合に、当該会員に遊技媒体の貸出しに利用した金額等に応じてポイントを付与する。
【０００３】
【発明が解決しようとする課題】
従来の会員カードを用いた会員システムでは、会員カードによって会員であることを認識している。
このため、会員は、会員カードを携帯（持参）する必要があり非常に面倒である。特に、複数の遊技場の会員となった場合には、複数の（遊技場毎の）会員カードを携帯する必要がある。
また、遊技場は、会員となった顧客に会員カードを発行する必要があり、そのためのコストがかかる。
会員カードを用いることなく会員であることを認識することができれば、会員は会員カードを携帯する必要がなくなり、また、遊技場は会員カードを発行するためのコストを削減することができる。
本発明者は、会員カードが不要な会員システムについて種々検討した結果、近年、会員となった遊技客の殆どは携帯電話等の携帯端末装置を携帯しており、この携帯端末装置を会員であることを認識するための媒体としても用いることができれば会員カードを不要とすることができることを見出した。
そこで、本発明は、会員カードを用いることなく会員であることを認識することができる遊技場会員管理装置及び会員管理方法を提供することを目的とする。
【０００４】
【課題を解決するための手段】
上記課題を解決するための本発明の第１発明は、請求項１に記載されたとおりの遊技場会員管理装置である。
請求項１に記載の遊技場会員管理装置は、管理装置と、複数の端末装置と、記憶装置と、を備えた遊技場会員管理装置において、前記記憶装置には、会員である顧客が所持している携帯端末装置を特定する携帯端末識別情報を含む会員登録情報が記憶されており、前記端末装置のそれぞれには通信相手識別情報が割り付けられている。
前記端末装置は、無線通信を介して前記携帯端末装置と通信可能であり、前記携帯端末装置から通信相手識別情報と携帯端末識別情報を受信すると、受信した通信相手識別情報と自己に割り付けられている通信相手識別情報が一致する場合に応答し、応答した前記端末装置は、受信した携帯端末識別情報を前記管理装置に送信する。
そして、前記管理装置は、前記端末装置から携帯端末識別情報を受信すると、受信した携帯端末識別情報と前記記憶装置に記憶されている会員登録情報が含む携帯端末識別情報とを照合し、照合が一致した場合、前記端末装置に通信相手識別情報と携帯端末識別情報を送信した携帯端末装置を所持している顧客が会員であることを判別する。
また、本発明の第２発明は、請求項２に記載されたとおりの遊技場会員管理装置である。
請求項２に記載の遊技場会員管理装置は、複数の管理装置と、記憶装置と、を備えた遊技場会員管理装置において、前記記憶装置には、会員である顧客が所持している携帯端末装置を特定する携帯端末識別情報を含む会員登録情報が記憶されており、前記管理装置のそれぞれには通信相手識別情報が割り付けられている。
前記管理装置は、無線通信を介して前記携帯端末装置と通信可能であり、前記携帯端末装置から通信相手識別情報と携帯端末識別情報を受信すると、受信した通信相手識別情報と自己に割り付けられている通信相手識別情報が一致する場合に応答する。
そして、応答した前記管理装置は、受信した携帯端末識別情報と前記記憶装置に記憶されている会員登録情報が含む携帯端末識別情報とを照合し、照合が一致した場合、通信相手識別情報と携帯端末識別情報を送信した携帯端末装置を所持している顧客が会員であることを判別する。
また、本実施の形態に記載の遊技場会員管理装置では、まず端末装置から携帯端末装置に会員情報要求信号を送信し、携帯端末装置は、自己の携帯端末識別情報を含む会員情報を端末装置に送信し、端末装置は、受信した会員情報を管理装置に送信し、管理装置は、会員情報に含まれている携帯端末識別情報と、記憶されている会員登録情報とを照合する。
本実施の形態に記載の遊技場会員管理装置を用いれば、端末装置から通信を開始させ、顧客の所持している携帯端末装置を媒体として当該顧客が会員であることを認識させることができるので、会員カードを用いることなく会員であることを認識することができる遊技場会員管理装置を実現できる。
【０００５】
また、本実施の形態に記載の遊技場会員管理装置では、管理装置が端末装置の機能を持ち、管理装置から携帯端末装置に会員情報要求信号を送信し、携帯端末装置は、自己の携帯端末識別情報を含む会員情報を管理装置に送信し、管理装置は、会員情報に含まれている携帯端末識別情報と、記憶されている会員登録情報とを照合する。
本実施の形態に記載の遊技場会員管理装置を用いれば、管理装置から通信を開始させ、顧客の所持している携帯端末装置を媒体として当該顧客が会員であることを認識させることができるので、会員カードを用いることなく会員であることを認識することができる遊技場会員管理装置を実現できる。
【０００６】
また、本実施の形態に記載の遊技場会員管理装置では、端末装置あるいは管理装置は、通信開始手段を操作されると、会員情報要求信号を携帯端末装置に送信する。
本実施の形態に記載の遊技場会員管理装置を用いれば、端末装置あるいは管理装置から通を開始させる手段を容易に実現できる。
【０００７】
また、本実施の形態に記載の遊技場会員管理装置では、まず携帯端末装置は、自己の携帯端末識別情報を含む会員情報を端末装置に送信し、端末装置は、受信した会員情報を管理装置に送信し、管理装置は、会員情報に含まれている携帯端末識別情報と、記憶されている会員登録情報とを照合する。
本実施の形態に記載の遊技場会員管理装置を用いれば、顧客の所持している携帯端末装置から通信を開始させ、顧客の所持している携帯端末装置を媒体として当該顧客が会員であることを認識させることができるので、会員カードを用いることなく会員であることを認識することができる遊技場会員管理装置を実現できる。
【０００８】
また、本実施の形態に記載の遊技場会員管理装置では、管理装置が端末装置の機能を持ち、まず携帯端末装置は、自己の携帯端末識別情報を含む会員情報を管理装置に送信し、管理装置は、会員情報に含まれている携帯端末識別情報と、記憶されている会員登録情報とを照合する。
本実施の形態に記載の遊技場会員管理装置を用いれば、顧客の所持している携帯端末装置から通信を開始させ、顧客の所持している携帯端末装置を媒体として当該顧客が会員であることを認識させることができるので、会員カードを用いることなく会員であることを認識することができる遊技場会員管理装置を実現できる。
【０００９】
また、本実施の形態に記載の遊技場会員管理装置では、携帯端末装置は、通信開始手段を操作されると、会員情報を送信する。
本実施の形態に記載の遊技場会員管理装置を用いれば、携帯端末装置から通信を開始させる手段を容易に実現できる。
【００１０】
また、本実施の形態に記載の遊技場会員管理装置では、携帯端末装置が携帯電話であり、携帯端末識別情報が携帯電話番号あるいはメールアドレスである。
本実施の形態に記載の遊技場会員管理装置を用いれば、顧客が既に所持している携帯電話を利用して、且つ当該携帯電話の電話番号あるいはメールアドレスを携帯端末識別情報として利用するので、遊技場は会員であることを認識するための媒体を顧客に発行（用意）する必要がなく、認識の方法も既に固有である電話番号あるいはメールアドレスを利用するので、実現が容易である。
【００１１】
また、本実施の形態に記載の遊技場会員管理装置では、複数の端末装置が備えられており、携帯端末装置から送信される会員情報には、更に、入力された通信相手識別情報が含まれており、端末装置は、受信した会員情報に含まれている通信相手識別情報が自己の通信相手識別情報と一致すると、受信した会員情報を管理装置に送信する。
本実施の形態に記載の遊技場会員管理装置を用いれば、端末装置が複数存在しても、携帯端末装置から送信される会員情報に含まれている通信相手識別情報によって、応答する端末装置を特定できるので、混信を回避することができる。
【００１２】
また、本実施の形態に記載の遊技場会員管理装置では、複数の管理装置が備えられており、携帯端末装置から送信される会員情報には、更に、入力された通信相手識別情報が含まれており、管理装置は、受信した会員情報に含まれている通信相手識別情報が自己の通信相手識別情報と一致すると、会員の照合処理をする。
本実施の形態に記載の遊技場会員管理装置を用いれば、管理装置が複数存在しても、携帯端末装置から送信される会員情報に含まれている通信相手識別情報によって、応答する管理装置を特定できるので、混信を回避することができる。
【００１３】
【発明の実施の形態】
以下に本発明の実施の形態を図面を用いて説明する。図１は、遊技場会員管理装置の概略構成図を示している。
管理装置１０は、例えば、遊技場内のホールコンピュータであり、記憶装置２０及び遊技場内機器１１（例えば、遊技媒体貸出し機、遊技媒体計数機、景品交換機等）と接続されている。この遊技場内機器１１が、端末装置に相当する。
【００１４】
次に、図２に、本発明の遊技場会員管理装置の一実施の形態で用いる遊技場内機器１１ａの概略外観図を示す。
遊技場内機器１１ａ（この場合、遊技媒体貸出し機）は、遊技機３０ａの左に設置され、送受信手段１２ａ（無線通信用アンテナあるいは光送受信用センサ、有線通信用コネクタ等）、表示手段１２ｂ（通信状況、サービス等の表示）、通信開始手段１２ｃ（通信開始ボタン等）、入力手段１２ｄ（キーボード等）が設けられている。また、遊技機３０ａの上部には、遊技機識別情報表示手段３１ａが設けられている。例えば、遊技機識別情報表示手段３１ａに表示されている内容（この場合、遊技機識別情報）が、通信相手識別情報に相当する。
ここで、遊技機３０ａの正面の椅子に腰掛けた遊技者が、当該遊技場の会員であることを認識する方法は、種々の方法が可能である。
【００１５】
図３に、携帯端末装置（例えば、携帯電話）との間で無線通信を行って会員であることを認識するアダプタの例を示す。
アダプタ（保持部材）１３は、携帯端末装置４０を挟持した状態で保持可能に構成されている。そして、携帯端末装置４０がアダプタ（保持部材）１３に保持された状態で、携帯端末装置４０の送受信部１３ａとアダプタ（保持部材）１３の送受信部１３ａとの間で無線通信が行われる。送受信部１３ａに接続されたコネクタ１３ｃは、遊技場内機器１１ａの送受信手段１２ａ等に設けられたコネクタに接続される。この方法は、無線通信エリアを狭くすることができる（携帯端末装置と遊技場内機器と、ほぼ１対１で通信させることができる）ため、誤認識を防止するための方法が簡単である。
また、有線通信のみを用いて会員であることを認識することもできる。この場合は、例えば、携帯端末装置４０に設けられている通信用コネクタに、通信ケーブルの一端を接続し、当該通信ケーブルの他端を遊技場内機器１１ａに設けられている通信ケーブル接続用コネクタに接続する。あるいは、携帯端末装置４０に設けられている通信用コネクタを遊技場内機器１１ａに設けられている通信用コネクタに直接接続する。
無線通信を用いて会員であることを認識する場合は、アダプタ（保持部材）１３を用いることなく、携帯端末装置４０と遊技場内機器１１ａの間で無線通信を行うことも可能である。しかし、この場合は、無線通信エリアが広くなるため、携帯端末装置４０を特定する必要がある。この状態を図４に示す。
【００１６】
図４に、遊技場内における遊技者（会員を含む）及び遊技場内機器の配置の例を示す。遊技場内では、遊技場内機器１１（例えば、遊技媒体貸出し機）及び遊技機３０が図４に示すように配置されている。遊技者５０は、気に入った遊技機３０の前に設けられた椅子に腰掛けて遊技する。
例えば、会員５０ｃが遊技機３０ｂを選んだ場合、会員５０ｃが携帯している携帯端末装置と遊技機３０ｂの左に設けられている遊技場内機器１１ｂ（この場合、遊技媒体貸出し機）との間で無線通信を行う。この時、遊技場内機器１１ｂの無線通信エリアが無線通信エリア（１１ｂ）であり、遊技場内機器１１ａの無線通信エリアが無線通信エリア（１１ａ）であり、遊技場内機器１１ｃの無線通信エリアが無線通信エリア（１１ｃ）であり、会員５０ｃの携帯端末装置の無線通信エリアが無線通信エリア（５０ｃ）である場合、会員５０ｃの携帯端末装置からの通信要求に対し、遊技場内機器１１ｂ以外の遊技場内機器１１ａ、１１ｃと混信する可能性が考えられる。このような混信を回避して、会員の携帯端末装置と、当該会員が通信を希望する遊技場内機器とを確実に通信させる方法について説明する。
なお、携帯端末装置は、遊技場内機器との通信用プログラムが予めダウンロードされているものとする。ダウンロードの方法は、種々の方法が可能である。
【００１７】
図５、図６に、記憶装置２０に記憶されている会員登録情報２１ａ、遊技履歴情報２１ｂについて説明する。
会員登録情報２１ａには、会員番号、氏名、パスワード、携帯電話番号、住所、メールアドレス等が記憶されている。例えば、会員識別情報には、会員番号あるいはパスワード等が用いられ、携帯端末識別情報には、携帯電話番号あるいはメールアドレス等が用いられる。
遊技履歴情報２１ｂには、会員番号、貯玉数（当該会員が当該遊技場に預けている遊技媒体（例えば、パチンコ玉）の数量）、累積ポイント等が記憶されている。この貯玉数、累積ポイント等が会員に対するサービスである。管理装置１０は、各会員からの貯玉預け入れあるいは払出しのサービス要求に対して当該会員に対応する貯玉数を変更する。また、管理装置１０は、会員が遊技媒体の貸出しに利用した金額等に応じてポイントを付与し、累積ポイントを変更する。
【００１８】
以下に、会員であることを認識する方法を説明する。各実施の形態の相違点を以下に示す。
第１の実施の形態：無線通信、遊技場内機器が通信開始側、携帯端末装置から会員識別情報を入力。
第２の実施の形態：無線通信、携帯端末装置が通信開始側、携帯端末装置から会員識別情報を入力。
第３の実施の形態：無線通信、遊技場内機器が通信開始側、遊技場内機器に設けられた入力手段から会員識別情報を入力。
第４の実施の形態：有線通信、遊技場内機器が通信開始側、携帯端末装置から会員識別情報を入力。
第５の実施の形態：有線通信、携帯端末装置が通信開始側、携帯端末装置から会員識別情報を入力。
第６の実施の形態：有線通信、遊技場内機器が通信開始側、遊技場内機器に設けられた入力手段から会員識別情報を入力。
第７の実施の形態：携帯端末装置を使用せず、遊技場内機器に設けられた入力手段から会員識別情報を入力。
【００１９】
◆［第１の実施の形態］
図７に、携帯端末装置と遊技場内機器１１ａとの間で無線通信を行い、通信の開始は遊技場内機器１１ａが行い、会員識別情報を携帯端末装置から入力する方法の一例のフローチャートを示す。以下、特別な断りがない限り、フローチャートにおいて、台形で示された処理は会員が操作する処理を表し、長方形及び六角形で示された処理は遊技場内機器、管理装置、携帯端末装置の処理装置が行う処理及び判断等を表している。
例えば、図５に示した会員番号「０００２」の会員「ＢＢＢ」が、図２に示した遊技機識別情報「１１０」の遊技機３０ａで遊技する場合、遊技機識別情報「１１０」に対応する遊技機３０ａに設けられている遊技場内機器１１ａ（この場合、遊技媒体貸出し機）に従って、管理装置１０に会員「ＢＢＢ」であることを認識させる手順について説明する。
会員「ＢＢＢ」は、携帯端末装置を操作して、ステップＳ１０の通信プログラム（予めダウンロードしておいた遊技場内機器との通信用プログラム）を起動する。次に、起動された通信プログラムにて遊技機番号（遊技機識別情報）の入力を督促されるので、ステップＳ２０にて、遊技機番号（この場合は、「１１０」）を入力する（遊技場内機器１１ａと遊技機３０ａの遊技機番号は同じである）。図７のフローチャート中の遊技機番号は、遊技機識別情報（この場合、通信相手識別情報）に対応している。次に、会員「ＢＢＢ」は、ステップＳ３０の通信開始ボタン（この場合、遊技場内機器１１ａに設けられた通信開始手段）を操作する。
この時点では、携帯端末装置は受信待機状態であり、遊技場内機器は通信開始ボタンが操作されるまで送信待機状態である。
【００２０】
次に、ステップＳ４０にて、遊技場内機器１１ａから遊技機番号要求信号が携帯端末装置に送信される。携帯端末装置は、遊技機番号要求信号を受信すると、ステップＳ５０にて、ステップＳ２０で入力された遊技機番号（この場合は、「１１０」）を含む遊技機情報を、遊技場内機器１１ａに送信する。なお、この時、遊技場内機器１１ａは、遊技機番号要求信号に自己の遊技機番号を含ませておき、携帯端末装置の通信用プログラムに、遊技機番号要求信号に含まれる遊技機番号と携帯端末装置に入力された遊技機番号が一致した場合に、携帯端末装置から応答させるように構成しておけば、他の遊技者が保有している複数の携帯端末装置からの応答による混信を回避することができる。
次に、遊技場内機器１１ａは、ステップＳ６０にて、受信した遊技機情報に含まれている遊技機番号と自己の遊技機番号（この場合は、「１１０」）とを照合する。そして、ステップＳ７０にて、照合結果が一致した場合はステップＳ８０に進み、一致しなかった場合はステップＳ４０に戻る。この時、ステップＳ４０が所定回数繰り返された場合、あるいは携帯端末装置から所定期間の間にステップＳ５０の返答が来なかった場合は、通信を終了する。
【００２１】
次に、ステップＳ８０にて、遊技場内機器１１ａから端末識別情報要求信号（会員情報要求信号等）が携帯端末装置に送信される。そして、携帯端末装置は端末識別情報要求信号を受信すると、ステップＳ９０にて、自己の端末識別情報（例えば、自己の携帯電話番号あるいはメールアドレス）を含む会員情報を送信する。遊技場内機器１１ａは、ステップＳ１００にて、受信した端末識別情報を含む会員情報を管理装置１０に送信する。管理装置１０は、ステップＳ１１０にて、受信した会員情報に含まれている端末識別情報と記憶装置２０に記憶されている会員登録情報２１ａの端末識別情報とを照合する。そして、ステップＳ１２０にて、照合結果が一致しなかった場合は通信を終了し、照合結果が一致した場合はステップＳ１３０に進む。ステップ１３０に進んだ場合、管理装置１０は、通信相手の携帯端末装置を持っている会員が当該遊技場の会員（この場合、会員「ＢＢＢ」）であることを、仮に特定する。しかし、より確実に会員であることを特定するために、以下のパスワード照合も実施する。
【００２２】
次に、ステップＳ１３０にて、管理装置１０からパスワード要求信号（会員情報要求信号等）が遊技場内機器１１ａに送信される。図７のフローチャート中のパスワードは、会員識別情報に対応している。そして、ステップＳ１４０にて、遊技場内機器１１ａから携帯端末装置（この場合、仮に特定した会員「ＢＢＢ」の携帯端末装置）にパスワード要求信号が送信される。そして、ステップＳ１５０にて、携帯端末装置は受信したパスワード要求信号に基いてパスワード入力画面を表示し、会員「ＢＢＢ」は、自己のパスワード（この場合は、「ｂｂｂｂ」）を入力する。携帯端末装置は、ステップＳ１６０にて、入力されたパスワードを含む会員情報を遊技場内機器１１ａに送信する。遊技場内機器１１ａは、ステップＳ１７０にて、受信したパスワードを含む会員情報を管理装置１０に送信する。管理装置１０は、ステップＳ１８０にて、受信した会員情報に含まれているパスワードと記憶装置２０に記憶されている会員登録情報２１ａのパスワードとを照合する。そして、ステップＳ１９０にて、照合結果が一致した場合はステップＳ２００に進み、一致しなかった場合はステップＳ１３０に戻る。この時、ステップＳ１３０が所定回数繰り返された場合、あるいは携帯端末装置から所定期間の間にステップＳ１６０の返答が来なかった場合は、通信を終了する。
ステップＳ２００では、管理装置１０は、通信相手の携帯端末装置を持っている会員が当該遊技場の会員（この場合、会員「ＢＢＢ」）であることを特定する。
【００２３】
次に、管理装置１０は、ステップＳ２１０にて、サービスメニュー情報を遊技場内機器１１ａに送信する。遊技場内機器１１ａは、ステップＳ２２０にて、受信したサービスメニュー情報を携帯端末装置（この場合、特定した会員「ＢＢＢ」の携帯端末装置）に送信する。そして、ステップＳ２３０にて、携帯端末装置は受信したサービスメニュー情報に基いてサービスメニュー選択画面を表示し、会員「ＢＢＢ」は、希望するサービスを選択する。そして、ステップＳ２４０にて、サービスメニュー情報から選択された情報を含む選択情報を、携帯端末装置から遊技場内機器１１ａに送信する。遊技場内機器１１ａは、ステップＳ２５０にて、選択情報を管理装置１０に送信する。管理装置１０は、ステップＳ２６０にて、受信した選択情報に基づいて、当該会員（この場合は、会員「ＢＢＢ」）に固有のサービスを含むサービス情報を遊技場内機器１１ａに送信する。遊技場内機器１１ａは、ステップＳ２７０にて、受信したサービス情報を携帯端末装置に送信し、携帯端末装置は、ステップＳ２８０にて受信したサービス情報に基づいてサービス画面を表示する。続いて、会員「ＢＢＢ」は、ステップＳ２９０にて、各サービスに基づいた処理を携帯端末装置の表示画面から入力しながら実行させ、選択したサービスの提供を受けることができる。通信の終了は、携帯端末装置から通信終了のコマンドを発行するようにしてもよいし、所定期間の間（例えば、数分間）、携帯端末装置から返答あるいは要求が送信されなかった場合に通信を終了させるようにしてもよい。通信の終了方法は、種々の方法が可能である。
【００２４】
◆［第２の実施の形態］
次に、携帯端末装置と遊技場内機器１１ａとの間で無線通信を行い、通信の開始は携帯端末装置が行い、会員識別情報を携帯端末装置から入力する方法の一例を説明する。この場合のフローチャートは、図７の「★」印の処理（ステップＳ３０とステップＳ４０）を削除したものである。［第２の実施の形態］では、［第１の実施の形態］と異なる点のみを説明する。
【００２５】
会員「ＢＢＢ」は、携帯端末装置を操作して、ステップＳ１０の通信プログラム（予めダウンロードしておいた遊技場内機器との通信用プログラム）を起動する。次に、起動された通信プログラムにて遊技機番号の入力を督促されるので、ステップＳ２０にて、遊技機番号（この場合は、「１１０」）を入力する。ここで、遊技機番号は、遊技機識別情報（この場合、通信相手識別情報）に対応している。
この時点では、携帯端末装置は送信待機状態であり、遊技場内機器は受信待機状態である。
次に、携帯端末装置は、送信ボタンを操作されると、ステップＳ５０にて、ステップＳ２０で入力された遊技機番号（この場合は、「１１０」）を含む遊技機情報を、遊技場内機器１１ａに送信する。遊技場内機器１１ａは、ステップＳ６０にて、受信した遊技機情報に含まれている遊技機番号と自己の遊技機番号（この場合は、「１１０」）とを照合する。そして、ステップＳ７０にて、照合結果が一致しなかった場合は、ステップＳ６０の手前に戻り、遊技機番号の受信待ち状態（受信待機状態）となる。照合結果が一致した場合は、ステップＳ８０に進む。このように、遊技機番号が一致した遊技場内機器１１ａのみが以下の処理に進み、一致しなかった遊技場内機器１１ａは、送信することなく遊技機番号の受信待ち状態になるので、複数の遊技場内機器１１ａから応答が返ってくる混信を回避することができる。
以下の処理は、［第１の実施の形態］と同様であるので省略する。
【００２６】
◆［第３の実施の形態］
次に、携帯端末装置と遊技場内機器１１ａとの間で無線通信を行い、通信の開始は遊技場内機器１１ａが行い、会員識別情報を遊技場内機器１１ａの入力手段１２ｄから入力する方法の一例を説明する。この場合のフローチャートは、図７の「●」印の処理（ステップＳ１４０、Ｓ１５０、Ｓ１６０）が異なる。ステップＳ１４０とステップＳ１６０は削除され、ステップＳ１５０は携帯端末装置の処理でなく、遊技場内機器１１ａの処理となる。［第３の実施の形態］では、［第１の実施の形態］と異なる点のみを説明する。
【００２７】
ステップＳ１３０にて、管理装置１０からパスワード要求信号（会員情報要求信号等）が遊技場内機器１１ａに送信されると、ステップＳ１５０にて、遊技場内機器１１ａは受信したパスワード要求信号に基いてパスワード入力画面を表示手段１２ｂに表示する。ここで、パスワードは、会員識別情報に対応している。そして、会員「ＢＢＢ」は、自己のパスワード（この場合は、「ｂｂｂｂ」）を入力手段１２ｄ（例えば、キーボード）から入力する。そして、遊技場内機器１１ａは、ステップＳ１７０にて、入力されたパスワードを含む会員情報を管理装置１０に送信する。
以下の処理は、［第１の実施の形態］と同様であるので省略する。
【００２８】
◆［第４の実施の形態］
次に、図８に、携帯端末装置（あるいは携帯端末装置＋アダプタ（保持部材）１３）と遊技場内機器１１ａとの間で有線通信を行い、通信の開始は遊技場内機器１１ａが行い、会員識別情報を携帯端末装置から入力する方法の一例のフローチャートを示す。この場合は、携帯端末装置と遊技場内機器１１ａが、ケーブル（有線）で接続されるため、遊技場内機器１１ａは特定される。よって、遊技場内機器１１ａが混信することがない。従って、図７に示すフローチャートにおいて、遊技場内機器１１ａを特定するためのステップＳ２０からステップＳ７０が省略されている（ただし、ステップＳ３０は省略されない）。［第４の実施の形態］では、［第１の実施の形態］と異なる点のみを説明する。
【００２９】
会員「ＢＢＢ」は、携帯端末装置を操作して、ステップＳ１０の通信プログラム（予めダウンロードしておいた遊技場内機器との通信用プログラム）を起動する。この時点では、携帯端末装置は受信待機状態であり、遊技場内機器は通信開始ボタンが操作されるまで送信待機状態である。
そして、会員「ＢＢＢ」は、ステップＳ３０の通信開始ボタン（この場合、遊技場内機器１１ａに設けられた通信開始手段）を操作する。
次に、ステップＳ８０にて、遊技場内機器１１ａから端末識別情報要求信号（会員情報要求信号等）が携帯端末装置に送信される。
以下の処理は、［第１の実施の形態］と同様であるので省略する。
【００３０】
◆［第５の実施の形態］
次に、携帯端末装置（あるいは携帯端末装置＋アダプタ（保持部材）１３）と遊技場内機器１１ａとの間で有線通信を行い、通信の開始は携帯端末装置が行い、会員識別情報を携帯端末装置から入力する方法の一例を説明する。この場合のフローチャートは、図８の「★」印の処理（ステップＳ３０とステップＳ８０）を削除したものである。［第５の実施の形態］では、［第４の実施の形態］と異なる点のみを説明する。
【００３１】
会員「ＢＢＢ」は、携帯端末装置を操作して、ステップＳ１０の通信プログラム（予めダウンロードしておいた遊技場内機器との通信用プログラム）を起動する。この時点では、携帯端末装置は送信待機状態であり、遊技場内機器は受信待機状態である。
次に、携帯端末装置は、送信ボタンが操作されると、ステップＳ９０にて、自己の端末識別情報（例えば、自己の携帯電話番号あるいはメールアドレス）を含む会員情報を、遊技場内機器１１ａに送信する。
以下の処理は、［第４の実施の形態］と同様であるので省略する。
【００３２】
◆［第６の実施の形態］
次に、携帯端末装置（あるいは携帯端末装置＋アダプタ（保持部材）１３）と遊技場内機器１１ａとの間で有線通信を行い、通信の開始は携帯端末装置が行い、会員識別情報を遊技場内機器１１ａの入力手段１２ｄから入力する方法の一例を説明する。この場合のフローチャートは、図８の「●」印の処理（ステップＳ１４０、Ｓ１５０、Ｓ１６０）が異なる。ステップＳ１４０とステップＳ１６０は削除され、ステップＳ１５０は携帯端末装置の処理でなく、遊技場内機器１１ａの処理となる。［第６の実施の形態］では、［第４の実施の形態］と異なる点のみを説明する。
【００３３】
ステップＳ１３０にて、管理装置１０からパスワード要求信号（会員情報要求信号等）が遊技場内機器１１ａに送信されると、ステップＳ１５０にて、遊技場内機器１１ａは受信したパスワード要求信号に基いてパスワード入力画面を表示手段１２ｂに表示する。ここで、パスワードは、会員識別情報に対応している。そして、会員「ＢＢＢ」は、自己のパスワード（この場合は、「ｂｂｂｂ」）を入力手段１２ｄ（例えば、キーボード）から入力する。そして、遊技場内機器１１ａは、ステップＳ１７０にて、入力されたパスワードを含む会員情報を管理装置１０に送信する。
以下の処理は、［第４の実施の形態］と同様であるので省略する。
【００３４】
◆［第７の実施の形態］
次に、図９に、携帯端末装置を用いずに、会員識別情報を遊技場内機器１１ａの入力手段１２ｄから入力する方法の一例のフローチャートを示す。この場合は、会員が操作する遊技場内機器１１ａが既に特定されている。また、携帯端末装置を用いないため、［第１の実施の形態］〜［第６の実施の形態］とは手順がかなり異なっている。この［第７の実施の形態］に示す方法は、会員が携帯端末装置を忘れた場合等で有効な方法である。また、この［第７の実施の形態］を実行するための遊技場内機器１１ａの通信開始手段１２ｃ（例えば、通信開始ボタン）は、携帯端末装置を用いた通信で使用する通信開始手段と異なる、専用の通信開始手段を備えるように構成してもよい。
【００３５】
会員「ＢＢＢ」は、ステップＳ３０の通信開始ボタン（この場合、遊技場内機器１１ａに設けられた通信開始手段１２ｃ）の操作を実施する。そして、ステップＳ１５０ａにて、遊技場内機器１１ａはパスワード入力画面を表示手段１２ｂに表示する。ここで、パスワードは、会員識別情報に対応する。この例では、会員識別情報にパスワードを利用したが、パスワードの代わりに電話番号を利用するようにしてもよく、会員識別情報には種々の情報を用いることができる。
そして、会員「ＢＢＢ」は、自己のパスワード（この場合は、「ｂｂｂｂ」）を入力手段１２ｄ（例えば、キーボード）から入力する。そして、遊技場内機器１１ａは、ステップＳ１７０にて、入力されたパスワードを含む会員情報を管理装置１０に送信する。管理装置１０は、ステップＳ１８０にて、受信した会員情報に含まれているパスワードと記憶装置２０に記憶されている会員登録情報２１ａのパスワードとを照合する。そして、ステップＳ１９０にて、照合結果が一致した場合はステップＳ２００に進み、一致しなかった場合はステップＳ１８０の手前に戻り、パスワードの受信待ち状態となる。この時、ステップＳ１８０が所定回数繰り返された場合、あるいは遊技場内機器１１ａから所定期間の間にステップＳ１７０の送信が来なかった場合は、通信を終了する。
ステップＳ２００では、管理装置１０は、遊技場内機器１１ａを操作している会員が当該遊技場の会員（この場合、会員「ＢＢＢ」）であることを特定する。なお、パスワードの照合に追加して、会員番号あるいは携帯端末識別情報等の入力及び照合を追加するようにしてもよい。
【００３６】
次に、管理装置１０は、ステップＳ２１０にて、サービスメニュー情報を遊技場内機器１１ａに送信する。遊技場内機器１１ａは、ステップＳ２３０にて、受信したサービスメニュー情報に基づいてサービスメニュー選択画面を表示手段１２ｂに表示し、会員「ＢＢＢ」は、希望するサービスを選択する。そして、ステップＳ２５０にて、サービスメニュー情報から選択された情報を含む選択情報を、遊技場内機器１１ａから管理装置１０に送信する。管理装置１０は、ステップＳ２６０にて、受信した選択情報に基づいて、当該会員（この場合は、会員「ＢＢＢ」）に固有のサービスを含むサービス情報を、遊技場内機器１１ａに送信する。遊技場内機器１１ａは、ステップＳ２７０にて、受信したサービス情報に基づいてサービス画面を表示手段１２ｂに表示する。続いて、会員「ＢＢＢ」は、ステップＳ２９０ａにて、各サービスに基づいた処理を遊技場内機器１１ａの入力手段１２ｄから入力して実行させ、選択したサービスの提供を受けることができる。通信の終了は、遊技場内機器１１ａから通信終了のコマンドを発行するようにしてもよいし、所定期間の間（例えば、数分間）、遊技場内機器１１ａから返答あるいは要求が送信されなかった場合に通信を終了させるようにしてもよい。通信の終了方法は、種々の方法が可能である。
【００３７】
また、上記に説明した［第１の実施の形態］〜［第６の実施の形態］以外の実施の形態として、携帯端末装置と通信する場合に、遊技場内機器１１ａを介さずに管理装置１０と携帯端末装置の間で直接通信させることもできる。この場合は、遊技場内機器１１ａの会員認識機能（上記に説明した図７〜図９における遊技場内機器１１ａの処理機能等）を管理装置１０に持たせる。そして、送受信手段（無線通信用アンテナあるいは光送受信用センサ、有線通信用コネクタ等）、通信開始手段等は、遊技機の前に腰掛けた遊技者から操作できる位置に配置しておけばよい。
【００３８】
◆［提供サービスの例］
次に、図１０に、ステップＳ２９０に示す「選択されたサービスに基づいた処理」の例について説明する。
例えば、図５に示した会員番号「０００２」の会員「ＢＢＢ」が、携帯端末装置４０を用いて、図２に示した遊技機識別情報「１１０」の遊技場内機器１１ａからサービスの提供を依頼する手順について説明する。
会員「ＢＢＢ」は、携帯端末装置４０を用いて［第１の実施の形態］〜［第６の実施の形態］のいずれかの手順で会員であることを認識させる。そして、携帯端末装置４０は、図７〜図８のいずれかに示すステップＳ２３０にて、受信したサービスメニュー情報に基づいて、サービスメニュー選択画面２２ａを表示する。
例えば、会員「ＢＢＢ」は、サービスの提供を希望しない場合、サービスメニュー選択画面２２ａから「戻る」を選択する。また、会員「ＢＢＢ」は、サービスの提供を希望する場合、サービスメニュー選択画面２２ａから希望するサービスを選択する。
例えば、会員「ＢＢＢ」は、サービスメニュー選択画面２２ａから「１．貯玉確認、引き落し」を選択すると、図７〜図８のいずれかに示すステップＳ２４０にて、サービスメニュー情報から選択された情報を含む選択情報を、携帯端末装置から遊技場内機器１１ａに送信する。
【００３９】
次に、携帯端末装置は、図７〜図８のいずれかに示すステップＳ２８０にて、受信したサービス情報に基づいて、サービス画面２２ｂ（この場合は、「貯玉確認、引き落し」（画面））を表示する。会員「ＢＢＢ」は、サービス画面２２ｂ（この場合は、「貯玉確認、引き落し」（画面））から、自己（会員番号「０００２」、会員「ＢＢＢ」）の内容であることと、現在の貯玉数が１００００個であることを確認する。
会員「ＢＢＢ」は、サービス画面２２ｂから「はい」を選択すると、サービス画面２２ｃ（この場合は、「貯玉確認、引き落し（入力）」（画面））を表示する。会員「ＢＢＢ」は、サービス画面２２ｃ（この場合は、「貯玉確認、引き落し（入力）」（画面））から、自己（会員番号「０００２」、会員「ＢＢＢ」）の内容であることと、現在の貯玉数が１００００個であることを確認し、貯玉の引き落し数（この場合は、２５０個）を入力する。
会員「ＢＢＢ」は、サービス画面２２ｃから「確認」を選択すると、サービス画面２２ｄ（この場合は、「貯玉確認、引き落し（結果）」（画面））を表示する。会員「ＢＢＢ」は、サービス画面２２ｄ（この場合は、「貯玉確認、引き落し（結果）」（画面））から、自己（会員番号「０００２」、会員「ＢＢＢ」）の内容であることを確認する。また、自己が遊技しようとしている遊技場内機器１１ａ（この場合は、遊技機識別情報「１１０」の遊技場内機器）に、貯玉から２５０個が払出しされたことと、貯玉数が９７５０個に変更されたことを確認する。
【００４０】
また、［第７の実施の形態］の場合は、携帯端末装置を用いないが、図９のステップＳ２９０ａに示す「選択されたサービスに基づいた処理」を実行する場合、表示及び入力には遊技場内機器１１ａの表示手段１２ｂ及び入力手段１２ｄを用いる。
【００４１】
◆［携帯端末装置から会員登録する例］
次に、図１１に、例えば、遊技者「ＢＢＢ」が、自己の携帯端末装置４０を用いて、当該遊技場に会員登録する例について説明する。
例えば、遊技場内機器は、携帯端末装置に会員登録情報要求信号を送信する。携帯端末装置４０は、遊技場内機器から会員登録情報要求信号を受信すると、会員登録の選択画面２３ａを表示する。次に、遊技者「ＢＢＢ」が、「はい」を選択すると、携帯端末装置４０は、会員登録の入力画面２３ｂを表示する。遊技者「ＢＢＢ」が、各項目に入力し、「登録」を選択すると、携帯端末装置４０は、端末識別情報（携帯電話番号、メールアドレス等）と任意に設定された会員識別情報（パスワード等）を含む会員登録要求情報を、遊技場内機器に送信する。遊技場内機器は、受信した会員登録要求情報に基づいて、遊技者「ＢＢＢ」を記憶装置２０に記憶し、会員として登録する。この場合の登録された結果は、図２に示す会員登録情報２１ａの会員「ＢＢＢ」の項目が対応している。
【００４２】
本発明の遊技場会員管理装置は、実施の形態で説明した構成に限定されず、本発明の要旨を変更しない範囲で種々の変更、追加、削除が可能である。
例えば、本発明の遊技場会員管理装置の構成及び外観等は、図１、図２、図３に示す構成及び外観等に限定されない。
また、本発明の遊技場会員管理装置は、遊技場以外の会員システムに適用することも可能である。
また、会員の携帯端末装置と通信する端末装置（実施の形態では、遊技場内機器１１ａ）は、遊技媒体貸出し機に限定されず、遊技機、景品交換機、遊技媒体計数機等に通信させる機能を持たせてもよく、種々の機器を端末装置とすることができる。
また、端末装置（実施の形態では、遊技場内機器１１ａ）に管理装置１０の機能を持たせてもよいし、管理装置１０に端末装置の機能を持たせてもよい。
また、会員の携帯端末装置と通信する端末装置（実施の形態では、遊技場内機器１１ａ）は、場内の設置に限定されない。
また、遊技場内機器１１ａは、遊技機３０ａの右に設置されていてもよく、遊技場内機器１１ａ、遊技機３０ａの配置は限定されない。
また、遊技場内機器１１ａは、表示手段１２ｂを省略してもよい。また、入力手段１２ｄからパスワード等を入力させる方法を用いない場合は、入力手段１２ｄを省略してもよい。遊技場内機器の機能は、図２に限定されるものではない。
また、サービスの種類、提供方法等は、本実施の形態で説明した内容に限定されるものではない。
また、会員登録情報２１ａ、遊技履歴情報２１ｂの構成、項目、内容等は、種々変更可能である。
また、会員であることを認識させる手順は、図７、図８、図９に示したフローチャートに限定されるものではない。例えば、図７、図８のフローチャートにあるパスワード照合処理は管理装置で実行せず、端末識別情報に対応するパスワードを管理装置から遊技場内機器に送信しておき、遊技場内機器でパスワード照合処理を実行することもできる。
また、図１０、図１１に示した携帯端末装置の表示手段に表示する表示画面は、本実施の形態に示す表示画面に限定されず種々変更可能である。また、表示内容及び手順等も本実施の形態に限定されず種々変更可能である。
また、携帯端末装置は、携帯電話、携帯情報端末、ＰＤＡ等種々の携帯端末装置を用いることができる。
また、携帯端末識別情報には、携帯電話番号、メールアドレス、携帯端末装置に固有のＩＤ（例えば、製造番号、シリアルナンバー）等、種々の情報を用いることができる。
また、以上（≧）、以下（≦）、より大きい（＞）、未満（＜）等は、等号を含んでも含まなくてもよい。
また、実施の形態の説明に用いた数値は一例であり、この数値に限定されるものではない。
また、携帯端末装置と遊技場内機器との無線通信には、種々の無線通信を用いることが可能である。
【００４３】
【発明の効果】
以上説明したように、請求項１または２に記載の遊技場会員管理装置を用いれば、会員カードを用いることなく会員であることを認識することができる遊技場会員管理装置及び会員管理方法を提供できる。
【図面の簡単な説明】
【図１】  遊技場会員管理装置の概略構成図である。
【図２】  本発明の遊技場会員管理装置の一実施の形態の概略外観図である。
【図３】  遊技場内機器と携帯端末装置を有線で通信させる例を示す図である。
【図４】  遊技場内機器と遊技者の配置及び無線通信エリアの例を示す図である。
【図５】  会員登録情報の例を示す図である。
【図６】  遊技履歴情報の例を示す図である。
【図７】  携帯端末装置と遊技場内機器と管理装置との通信手順の例を示すフローチャートである。
【図８】  携帯端末装置と遊技場内機器と管理装置との通信手順の他の例を示すフローチャートである。
【図９】  遊技場内機器と管理装置を用いた場合の、通信手順の例を示すフローチャートである。
【図１０】  サービスの提供を受ける場合の、携帯端末装置の表示手段への表示例を示す図である。
【図１１】  会員登録する場合の、携帯端末装置の表示手段への表示例を示す図である。
【符号の説明】
１０      管理装置
１１ａ〜１１ｈ  遊技媒体貸出し機
１２ａ    送受信手段
１２ｂ    表示手段
１２ｃ    通信開始手段
１２ｄ    入力手段
２０      記憶装置
３０ａ〜３０ｃ  遊技機
３１ａ    遊技機識別情報表示手段
４０      携帯端末装置
【図１】
0004761282.tif 000002
【図２】
0004761282.tif 000003
【図３】
0004761282.tif 000004
【図４】
0004761282.tif 000005
【図５】
0004761282.tif 000006
【図６】
0004761282.tif 000007
【図７】
0004761282.tif 000008
【図８】
0004761282.tif 000009
【図９】
0004761282.tif 000010
【図１０】
0004761282.tif 000011
【図１１】
0004761282.tif 000012